(57)【特許請求の範囲】
【請求項１】
上面と中空部とを連通するスリットが形成されたコンクリート製品の吊り具であり、
該吊り具は、
略角棒状をなす基杆と、
基杆の下端に取り付けられ、基杆の両側面側から左右方向に張り出し、上端辺が曲線状に形成され、かつ外形が略扇状をなし垂直方向に延出して形成された板体状の吊り上げ片を有する吊り上げプレートと、
前記基杆が貫通する角筒状をなす貫通孔が形成された本体と、本体の両側面側から左右方向に張り出し、前記吊り上げプレートとほぼ同様の外形を有する張り出し片と、を有するズレ止めプレートと、
前記ズレ止めプレートの張り出し片表面側に設けられたストッパと、
を備えて構成され、
前記吊り上げプレートとズレ止めプレートは、各々の張り出し方向が略９０度交差するよう張り出してなり、かつ前記ズレ止めプレートは基杆の長手方向に移動可能とされてなると共に、基杆の軸方向を回転軸として回転不可とされ、
前記スリットから前記コンクリート製品の中空部内に吊り上げプレートを挿入後、スリットの長手方向位置から略90度回転させたとき、ズレ止めプレートが前記スリットに入り、前記ストッパはスリット近傍位置のコンクリート製品上面に係止してズレ止めプレートの中空部内落下を防止してなり、
吊り上げ時に、前記吊り上げプレートの上端辺がコンクリート製品中空部内の上内壁に係止する、
ことを特徴とする吊り具。
【請求項２】
上面と中空部とを連通するスリットが形成されたコンクリート製品の吊り具であり、
該吊り具は、
吊り上げ用横杆と、
吊り上げ用横杆の両端から吊下する柔軟性を有する一対の吊り上げ部材と、
前記吊り上げ部材に連結された角棒状をなす一対の基杆と、
基杆の下端に取り付けられ、基杆の両側面側から左右方向に張り出し、上端辺が曲線状に形成され、かつ外形が略扇状をなし垂直方向に延出して形成された板体状の吊り上げ片を有する吊り上げプレートと、
前記基杆が貫通する角筒状をなす貫通孔が形成された本体と、本体の両側面側から左右方向に張り出し、前記吊り上げプレートとほぼ同様の外形を有する張り出し片とを有するズレ止めプレートと、
前記ズレ止めプレートの張り出し片表面側に設けられたストッパと、
を備えて構成され、
前記吊り上げプレートとズレ止めプレートは、各々の張り出し方向が略９０度交差するよう張り出してなり、かつ前記ズレ止めプレートは基杆の長手方向に移動可能とされてなると共に、基杆の軸方向を回転軸として回転不可とされ、
前記スリットから前記中空部内に吊り上げプレートを挿入後、スリットの長手方向位置から略90度回転させたとき、ズレ止めプレートが前記スリットに入り、前記ストッパはスリット近傍位置のコンクリート製品上面に係止してズレ止めプレートの中空部内落下を防止してなり、
吊り上げ時に、前記吊り上げプレートの上端辺がコンクリート製品中空部内の上内壁に係止する、
ことを特徴とする吊り具。
【請求項３】
前記基杆の略下半分には角部が面取りされて面取り胴部が形成され、基杆が前記ズレ止めプレートと共に吊り上げるべきコンクリート製品の前記スリット内に挿入されてなり、前記面取り胴部では基杆の軸方向を回転軸として回転可能とされてなることを特徴とする請求項1または請求項2記載の吊り具。
【請求項４】
前記吊り上げ片の上端辺が、のこぎり刃状に形成された、
ことを特徴とする請求項1、請求項2または請求項3記載の吊り具。
【発明の詳細な説明】
【０００１】
【発明の属する技術分野】
本発明は、例えば、上面に直線状の排水用スリットが形成されたコンクリート製品等の吊り具に関するものである。
【従来の技術】
従来、内部に排水路となる中空部が形成され、該中空部と上面がスリットにより連通されたコンクリート製側溝が一般に知られている。
【０００２】
そして、このスリット付きコンクリート側溝の運搬に際しては該コンクリート側溝の長さ方向中間位置にロープを巻回し、その巻回したロープに吊り上げ用のフックを係止して重機などで吊り上げて運搬したり、あるいはあらかじめスリット付きコンクリート側溝作製時に長手方向両端部の側面に吊り上げ用の孔を４つ穿設しておき、この孔に吊り上げ用の吊り上げ棒を差し込み、該差し込み棒に吊り上げ部材を接続してこれを重機などで吊り上げて運搬していた。
【発明が解決しようとする課題】
しかしながら、前者の方法であると、スリット付きコンクリート製品吊り上げ、移動が不安定であると共に、スリット付きコンクリート製品自体を破損するおそれがあった。
【０００３】
また、後者の方法であると、スリット付きコンクリート製品の型枠を前記４つの孔を有する型枠に変更しなければならず、型枠の変更でコスト高になってしまうと共に、４つの孔にいちいち吊り上げ棒を差し込み、差し込み棒に吊り上げ部材を接続してこれを重機などで吊り上げて運搬しなければならないため、吊り上げ作業、運搬作業が面倒との指摘があった。
【０００４】
かくして、本発明は前記従来の課題に鑑みて創案されたものであり、スリット付きコンクリート製品の型枠を変更する必要がないため、コスト高にならず、また、確実にかつスムーズに吊り上げることが出来、かつ運搬作業できる吊り具を提供することを目的とするものである。
【課題を解決するための手段】
本発明による吊り具は、上面と中空部とを連通するスリットが形成されたコンクリート製品の吊り具であり、
該吊り具は、
略角棒状をなす基杆と、
基杆の下端に取り付けられ、基杆の両側面側から左右方向に張り出し、上端辺が曲線状に形成され、かつ外形が略扇状をなし垂直方向に延出して形成された板体状の吊り上げ片を有する吊り上げプレートと、
前記基杆が貫通する角筒状をなす貫通孔が形成された本体と、本体の両側面側から左右方向に張り出し、前記吊り上げプレートとほぼ同様の外形を有する張り出し片と、を有するズレ止めプレートと、
前記ズレ止めプレートの張り出し片表面側に設けられたストッパと、
を備えて構成され、
前記吊り上げプレートとズレ止めプレートは、各々の張り出し方向が略９０度交差するよう張り出してなり、かつ前記ズレ止めプレートは基杆の長手方向に移動可能とされてなると共に、基杆の軸方向を回転軸として回転不可とされ、
前記スリットから前記コンクリート製品の中空部内に吊り上げプレートを挿入後、スリットの長手方向位置から略90度回転させたとき、ズレ止めプレートが前記スリットに入り、前記ストッパはスリット近傍位置のコンクリート製品上面に係止してズレ止めプレートの中空部内落下を防止してなり、
吊り上げ時に、前記吊り上げプレートの上端辺がコンクリート製品中空部内の上内壁に係止する、
ことを特徴とし、
または、
上面と中空部とを連通するスリットが形成されたコンクリート製品の吊り具であり、
該吊り具は、
吊り上げ用横杆と、
吊り上げ用横杆の両端から吊下する柔軟性を有する一対の吊り上げ部材と、
前記吊り上げ部材に連結された角棒状をなす一対の基杆と、
基杆の下端に取り付けられ、基杆の両側面側から左右方向に張り出し、上端辺が曲線状に形成され、かつ外形が略扇状をなし垂直方向に延出して形成された板体状の吊り上げ片を有する吊り上げプレートと、
前記基杆が貫通する角筒状をなす貫通孔が形成された本体と、本体の両側面側から左右方向に張り出し、前記吊り上げプレートとほぼ同様の外形を有する張り出し片とを有するズレ止めプレートと、
前記ズレ止めプレートの張り出し片表面側に設けられたストッパと、
を備えて構成され、
前記吊り上げプレートとズレ止めプレートは、各々の張り出し方向が略９０度交差するよう張り出してなり、かつ前記ズレ止めプレートは基杆の長手方向に移動可能とされてなると共に、基杆の軸方向を回転軸として回転不可とされ、
前記スリットから前記中空部内に吊り上げプレートを挿入後、スリットの長手方向位置から略90度回転させたとき、ズレ止めプレートが前記スリットに入り、前記ストッパはスリット近傍位置のコンクリート製品上面に係止してズレ止めプレートの中空部内落下を防止してなり、
吊り上げ時に、前記吊り上げプレートの上端辺がコンクリート製品中空部内の上内壁に係止する、
ことを特徴とし、
または、
前記基杆の略下半分には角部が面取りされて面取り胴部が形成され、基杆が前記ズレ止めプレートと共に吊り上げるべきコンクリート製品の前記スリット内に挿入されてなり、前記面取り胴部では基杆の軸方向を回転軸として回転可能とされてなる
ことを特徴とし、
または、
前記吊り上げ片の上端辺が、のこぎり刃状に形成された、
ことを特徴とするものである。
【発明の実施の形態】
以下、図に基づいて本発明に係る吊り具につき説明する。
【０００５】
図１に本発明の吊り具を示す。
【０００６】
本発明による吊り具は、吊り上げ用横杆１と一対の吊り上げ部材２，２と、一対の基杆３，３と、吊り上げプレート４と、ズレ止めプレート５とを備えて構成されている。
【０００７】
吊り上げ横杆１は図示するように、一般に板状金属部材からなる部材で形成されており、その両端からはチェーンあるいはワイヤーロープ等の柔軟性を有する吊り上げ部材２，２が吊下されている。
【０００８】
この吊り上げ部材２の下端部には金属製の角棒状をなした基杆３が垂下して接続され、さらに該基杆３の下端部には吊り上げプレート４が取り付けられている。
【０００９】
すなわち、基杆３の下端部において、該基杆３の両側面側から左右方向に張り出す吊り上げ片６が取り付けられている。
【００１０】
ここで、この吊り上げ片６は図４に示すように、その上端辺７がアールを有して曲線状に形成され、かつ垂直方向に延出された板体状で、その外形が略扇状をなして形成されている。
【００１１】
しかし、この吊り上げ片６の外形は図４に示す外形に限定されず、図１４に示す外形のものであっても構わない。
【００１２】
さらに、図９から理解されるように、上端辺７をのこぎり刃状に形成したものであっても構わない。
【００１３】
また、基杆３の長手方向略下半分は所定の長さで面取りされた面取り胴部８が形成されている。
【００１４】
そして、この基杆３にはズレ止めプレート５が基杆３の長手方向に移動可能にされて被嵌されている。
【００１５】
すなわち、ズレ止めプレート５は、前記基杆３が貫通する角筒状の貫通孔９が設けられた本体１０を有しており、この本体１０の両側面からは左右方向に張り出す張り出し片１１をも有して構成されている。
【００１６】
しかして、この張り出し片１１についても前記吊り上げ片６とほぼ同様の外形であり、ほぼ同様の構成となっている。
【００１７】
ここで、前記吊り上げプレート４とズレ止めプレート５とは略９０度交差して張り出しており、ズレ止めプレート５は基杆３の角筒部あるいは面取り胴部８においても基杆軸方向を回転軸として回転不可状態とされている。
【００１８】
以上において、本発明による吊り具の使用状態につき説明すると、まず図３に示すように上面にスリット１２を有するコンクリート製排水路ユニット１３の前記スリット１２内に吊り上げ片６を挿入する。
【００１９】
そして、この吊り上げ片６がスリット１２を通過し、内部の中空部１４に進入したときに、基杆３に被嵌するズレ止め片５がコンクリート製排水路ユニット１３の上面に係止する。
【００２０】
ここで、基杆３の下端部に取り付け固定されている吊り上げ片４を略９０度回転させる。するとズレ止めプレート５がスリット１３内に入る。
【００２１】
ここで、ズレ止めプレート５にはその張り出し片１１の表面側にストッパ１５が設けられ、もってこのストッパ１５がスリット１３近傍のコンクリート製排水路の上面に係止し、中空部１４内に落ちることがない。
【００２２】
その状態から上方に吊り上げると、吊り上げプレート４における吊り上げ片上端辺７が中空部１４の上内壁１６に係止し、コンクリート製排水路を上方に吊り上げることとなる。
【００２３】
しかして、吊り上げて所定の場所への運搬、移動が完了したときは、基杆３を略９０度回転させて中空部１４内にある吊り上げプレート４をスリット１２と平行にし、スリット１４から引き抜いて取り出せばよい。
【００２４】
ここで、基杆３は吊り上げ荷重に対応出来るよう比較的太いものを使用すべきであるが、あまり太くすると、スリット１２内で基杆３を回転させることが出来なくなってしまう。スリット１２内で基杆３が回転できないと吊り上げプレート４をスリット付きコンクリート製品の上内壁１６に係止させることが出来なくなり、ひいてはスリット付きコンクリート製品を吊り上げ、運搬することが出来なくなる。
【００２５】
よって、太い基杆３を使用した上で角部を面取りしてスリット１２内で回転できるようにしたのである。
【００２６】
尚、図９から理解されるように、上端辺７をのこぎり刃状に形成しておくと、上内壁１６に吊り上げ片６の上端辺７が確実に係止し、より安全な吊り上げ作業が行える。
【００２７】
また、図示しないが、この上端辺７にクッション材を取り付けておけば、コンクリート製排水路の上内壁１６の表面側をいためるおそれもない。
【発明の効果】
かくして本発明は以上の構成よりなる。
【００２８】
そして、本発明による吊り具であれば、スリット付きコンクリート製品を成型する型枠に変更を加える必要がないため、その製造コストをコスト高にすることがない。また、確実にかつスムーズにスリット付きコンクリート製品を吊り上げられ、運搬、移動できる吊り具を提供出来る。
【図面の簡単な説明】
【図１】 本発明による吊り具の構成を説明する構成説明図（その１）である。
【図２】 本発明による吊り具の構成を説明する構成説明図（その２）である。
【図３】 本発明による吊り具の使用状態を説明する説明図（その１）である。
【図４】 本発明による吊り具の使用状態を説明する説明図（その２）である。
【図５】 本発明による吊り具の使用状態を説明する説明図（その３）である。
【図６】 本発明による吊り具の使用状態を説明する説明図（その４）である。
【図７】 本発明による吊り具の使用状態を説明する説明図（その５）である。
【図８】 本発明による他の実施例の吊り具の使用状態を説明する説明図（その１）である。
【図９】 本発明による他の実施例の吊り具の使用状態を説明する説明図（その２）である。
【図１０】 本発明による他の実施例の吊り具の使用状態を説明する説明図（その３）である。
【図１１】 本発明による他の実施例の吊り具の使用状態を説明する説明図（その４）である。
【図１２】 本発明による他の実施例の吊り具の使用状態を説明する説明図（その５）である。
【図１３】 本発明による他の第２実施例の吊り具の使用状態を説明する説明図（その１）である。
【図１４】 本発明による他の第２実施例の吊り具の使用状態を説明する説明図（その２）である。
【図１５】 本発明による他の第２実施例の吊り具の使用状態を説明する説明図（その３）である。
【図１６】 本発明による他の第２実施例の吊り具の使用状態を説明する説明図（その４）である。
【図１７】 本発明による他の第２実施例の吊り具の使用状態を説明する説明図（その５）である。
【図１８】 面取り胴部の構成を説明する説明図（その１）である。
【図１９】 面取り胴部の構成を説明する説明図（その２）である。
【符号の説明】
１ 吊り上げ横杆
２ 吊り上げ部材
３ 基杆
４ 吊り上げプレート
５ ズレ止めプレート
６ 吊り上げ片
７ 吊り上げ片の上端辺
８ 面取り胴部
９ 貫通孔
１０ 本体
１１ 張り出し片
１２ スリット
１３ 排水路ユニット
１４ 中空部
１５ ストッパ
１６ 上内壁
【図１】
0004692978.tif 000002
【図２】
0004692978.tif 000003
【図３】
0004692978.tif 000004
【図４】
0004692978.tif 000005
【図５】
0004692978.tif 000006
【図６】
0004692978.tif 000007
【図７】
0004692978.tif 000008
【図８】
0004692978.tif 000009
【図９】
0004692978.tif 000010
【図１０】
0004692978.tif 000011
【図１１】
0004692978.tif 000012
【図１２】
0004692978.tif 000013
【図１３】
0004692978.tif 000014
【図１４】
0004692978.tif 000015
【図１５】
0004692978.tif 000016
【図１６】
0004692978.tif 000017
【図１７】
0004692978.tif 000018
【図１８】
0004692978.tif 000019
【図１９】
0004692978.tif 000020